(57)【要約】【課題】喫食口部を形成する部分の口当たりが優しいマチ付きシート状容器を提供する。【解決手段】容器本体2から突出する喫食口部9の出口通路部分9aは先細りである。出口通路部分9aを規定する左右の内側シールライン72a,72bの延長線上の第１、第２の延長線74,76のうちマチ3とは反対側の第１の延長線74に沿って本体2のシールライン84が形成され、マチ3側の第２延長線76と本体2の下端縁とが交差する部分に凹部86が形成されている。容器本体2の下端ヒートシールHS(3)の上縁には、第２延長線76に隣接し且つ上記シールライン84側に第１凸部88が形成され、更に、喫食口部9の出口通路部分9aの左のヒートシールHS(2)の下端において第２延長線76に隣接して第２凸部89が形成されている。【選択図】図57
2009132451.tif 000002
【特許請求の範囲】
【請求項１】
正面視したときに片手で持つことのできる大きさの略矩形の形状を備えたシート状の容器本体と、
該容器本体の上端部に形成され、ノッチによって上端部を切断したときに喫食口部を形成するシート状の突出部と、
前記容器本体の少なくとも一方の側部に設けられたマチと、を有し、
前記突出部の左右の側縁部がヒートシールされ、該左右のヒートシールの内側シールラインによって前記喫食口部の出口通路部分が形成され、
前記左右の内側シールラインのうち、少なくとも前記マチ側の内側シールラインが傾斜して前記出口通路部分が先細りの形状を有し、
前記マチ側の内側シールラインの延長線に沿って前記容器本体を屈曲させる目印が印刷されていることを特徴とするマチ付きシート状容器。
【請求項２】
正面視したときに片手で持つことのできる大きさの略矩形の形状を備えたシート状の容器本体と、
該容器本体の上端部に形成され、ノッチによって上端部を切断したときに喫食口部を形成するシート状の突出部と、
前記容器本体の少なくとも一方の側部に設けられたマチと、を有し、
前記突出部の左右の側縁部がヒートシールされ、該左右のヒートシールの内側シールラインによって前記喫食口部の出口通路部分が形成され、
前記左右の内側シールラインのうち、少なくとも前記マチ側の内側シールラインが傾斜して前記出口通路部分が先細りの形状を有し、
前記マチ側の内側シールラインの延長線上の前記容器本体の下端縁に凹所が形成されていることを特徴とするマチ付きシート状容器。
【請求項３】
前記マチ側の内側シールラインの前記出口通路部分の上流端に、該マチ側の内側シールラインの延長線に隣接してヒートシールの凸部が形成されている、請求項２に記載のマチ付きシート状容器。
【請求項４】
前記容器本体の下端縁部がヒートシールされ、該ヒートシールされた下端縁部の上端縁に、前記前記マチ側の内側シールラインの延長線に隣接して凸部が形成されている、請求項２又は３に記載のマチ付きシート状容器。
【請求項５】
前記前記マチ側の内側シールラインがマチ側の内側シールラインである、請求項２〜４のいずれか一項に記載のマチ付きシート状容器。
【請求項６】
請求項１〜５のいずれか一項に記載のマチ付きシート状容器であって、具材と、これにまとわりつく粘性を備えた液体成分又はペースト状の液体成分とが混在した内容物が収容され且つレトルト殺菌されているマチ付きシート状容器。
【請求項７】
正面視したときに片手で持つことのできる大きさの略矩形の形状を備えたシート状の容器本体と、
該容器本体の上端部に形成されたシート状の突出部と、
前記容器本体の少なくとも一方の側部に設けられたマチと、を有し、
前記突出部の上端部を切り取ることにより喫食口部を形成することができるマチ付きシート状容器であって、
具材と、これにまとわりつく粘性を備えた液体成分又はペースト状の液体成分とが混在した内容物が収容され且つレトルト殺菌され、
粘着剤を塗布した粘着面を備えると共に前記突出部を少なくとも２つ折りした状態で該突出部を覆うシール用シートを備え、
該シール用シートが前記少なくとも２つ折りした状態の突出部よりも大きく、且つ、前記シール用シートの粘着面には、少なくとも前記突出部の一部と接着するように粘着剤が塗布されていることを特徴とするマチ付きシート状容器。
【請求項８】
前記容器本体の上端縁がラウンドした波形輪郭を有する、請求項７に記載のマチ付きシート状容器。
【請求項９】
前記マチが前記容器本体の一方の側部に設けられ、前記突出部が、該マチが設けられた側部とは反対側の側部に隣接して設けられている、請求項６又は７に記載のマチ付きシート状容器。
【請求項１０】
前記シール用シートの粘着面の一部に、容易に剥離しない粘着剤が塗布された難剥離領域を有し、該難剥離領域の回りが弱化線で囲まれている、請求項７〜９のいずれか一項に記載のマチ付きシート状容器。
【発明の詳細な説明】
【技術分野】
【０００１】
本発明は、適度な大きさの具材を含む流動食品を収容して片手で握って押し出しながら食べるのに適したポータブルなマチ付き容器に関し、より詳しくは、内容物として沢山の具材に適度な粘性で液体成分がまとわりついたレトルト流動食品を収容したマチ付き容器に関する。
【背景技術】
【０００２】
マチ付きシート状容器にビタミンや野菜ジュース等のゼリー状の飲み物や流動性を高めたヨーグルトを充填した商品が好評を博している。この種のマチ付きシート状容器は一般的にスタンディングパウチ又はスタンディング容器と称されている。典型的な容器つまりマチ付きシート状容器が特許文献１、２に開示されている。
【０００３】
特許文献１のマチ付きシート状容器は、プラスチック成型品からなる飲み口（スパウト）がネジキャップによって密封される。このようなマチ付きシート状容器に内容物を充填するのに、特許文献１に記載されているように、充填ノズルをスパウトに装着し、このスパウトを介してマチ付きシート状容器に内容物が充填される。このことから特許文献１のマチ付きシート状容器は液体に対して適用するように設計されている、と言うことができ、また、このことは特許文献１でも言及されている。
【０００４】
特許文献２は、上記特許文献１と同様に、ネジキャップで密封されるスパウトを備えたマチ付きシート状容器を開示するものであるが、この特許文献２は、果肉入りヨーグルトを収容するのに適合させるためにスパウトの口径及び長さを所定の範囲に規定することを提案している。
【０００５】
特許文献３は、ネジキャップ無しのマチ付きシート状容器を提案している。このネジキャップ無しシート状容器は、容器の上端又は一側の上部に突出部を有し、この突出部に一つのノッチを用意して、このノッチを使って突出部の上端部を切り離すことにより、残部の突出部が吸い口を構成するように設計されている。また、このマチ付きシート状容器は、マチ部とは反対側の側部から内容物を充填し、内容物（粘度の高い液体）を充填した後に、このマチ部とは反対側の側部をヒートシールすること開示している。
【０００６】
【特許文献１】特開２０００−１０３４３８号公報
【特許文献２】特開２００６−１９９３５０号公報
【特許文献３】特開平１１−２９１７４号公報
【発明の開示】
【発明が解決しようとする課題】
【０００７】
この種のマチ付きシート状容器に充填した市販の内容物は、上述したように、ゼリー状の飲料、流動性を高めたヨーグルトなどに限定されているのが実情であり、消費者は、飲み口を構成するスパウトを口に含み、そして内容物を吸い込むことで内容物を喫食するのが常である。
【０００８】
内容物を制限することなく、例えばご飯粒や具材の入ったカレー、リゾット、トウファ（豆腐花）、パスタのような主食、惣菜、デザートなどのペースト状の内容物を収容したポータブルな容器が出現したときには、スプーンなどの道具を使わないで且つ活動しながら、時と場所に制限されることなく短時間で主食、惣菜、デザートなどを摂取することができる。
【０００９】
この要請に対して、上述したシート状容器で対応しようとしたときに、その使用態様において、消費者は、シート状容器を握りながら内容物を吸い込む動作ではなく、シート状容器を握りながら押し出す操作が必要となる。
【００１０】
また、従来のスパウト付きのシート状容器を採用したときには、スパウトの存在によって内容物を充填した本体よりも高さ寸法が大きく拡大するだけでなく、特許文献１にも記載のとおりスパウトを通じて内容物の充填が行われるため、少し大きめの沢山の具材に液体成分がまとわりついた内容物の場合には、内容物の充填時にスパウトで詰まってしまう原因になる。これを回避するためにスパウトの径を大きくしたときには、スパウトの径が大きくなるほど、スパウトの基端部分に内容物が残留する傾向が大きくなり、このため内容物の全てを押し出すのが難しくなってしまう。
【００１１】
特許文献３のシート状容器は、突出部によって吸い口を形成すると共に、マチとは反対側の側部から内容物を充填することから、上述したペースト状の内容物や液体成分が具材にまとわりついた内容物の場合に都合がよい。しかし、特に具入りの内容物に適用した場合に、マチの部分を下にして、このマチとは反対側の側部から内容物を充填すると固形物である具材がマチの部分に偏在し、そしてこの状態で消費者に供給される傾向になる。また、シート状容器の突出部で構成される吸い口には、その左右の両側にヒートシール部を有するが、具材が詰まることなく吸い口を通過するように、この吸い口の幅つまり突出部を正面視したときの突出部の幅を大きくしたときには、この突出部の両側に位置しているヒートシール部が左右に張り出した状態となって口元に当たってしまう虞がある。
【００１２】
そこで、本発明の目的は、片手で握って押し出すことにより具材にペースト状の液体成分又は液体成分がまとわりついた内容物を円滑に喫食することができると共に、その喫食口部を形成する部分の口当たりが優しいマチ付きシート状容器を提供することにある。
【００１３】
本発明の別の目的は、片手で握って押し出すことにより固形分入りペースト状内容物を円滑に喫食することができると共に、製品出荷から消費者に渡って消費者が内容物を喫食する直前まで内容物を充填する本体よりも高さ寸法が大きく拡大してしまうのを抑えることができ、内容物として固形分を含むペースト状の食品に適用するのに好適なマチ付きシート状容器を提供することにある。
【課題を解決するための手段】
【００１４】
上記の技術的課題は、本発明の第１の観点によれば、
正面視したときに片手で持つことのできる大きさの略矩形の形状を備えたシート状の容器本体と、
該容器本体の上端部に形成され、ノッチによって上端部を切断したときに喫食口部を形成するシート状の突出部と、
前記容器本体の少なくとも一方の側部に設けられたマチと、を有し、
前記突出部の左右の側縁部がヒートシールされ、該左右のヒートシールの内側シールラインによって前記喫食口部の出口通路部分が形成され、
前記左右の内側シールラインのうち、少なくとも前記マチ側の内側シールラインが傾斜して前記出口通路部分が先細りの形状を有し、
前記マチ側の内側シールラインの延長線に沿って前記容器本体を屈曲させる目印が印刷されていることを特徴とするマチ付きシート状容器を提供することにより達成される。
【００１５】
上記の技術的課題は、本発明の第２の観点によれば、
正面視したときに片手で持つことのできる大きさの略矩形の形状を備えたシート状の容器本体と、
該容器本体の上端部に形成され、ノッチによって上端部を切断したときに喫食口部を形成するシート状の突出部と、
前記容器本体の少なくとも一方の側部に設けられたマチと、を有し、
前記突出部の左右の側縁部がヒートシールされ、該左右のヒートシールの内側シールラインによって前記喫食口部の出口通路部分が形成され、
前記左右の内側シールラインのうち、少なくとも前記マチ側の内側シールラインが傾斜して前記出口通路部分が先細りの形状を有し、
前記マチ側の内側シールラインの延長線上の前記容器本体の下端縁に凹所が形成されていることを特徴とするマチ付きシート状容器を提供することにより達成される。
【００１６】
上記の技術的課題は、本発明の第３の観点によれば、
正面視したときに片手で持つことのできる大きさの略矩形の形状を備えたシート状の容器本体と、
該容器本体の上端部に形成されたシート状の突出部と、
前記容器本体の少なくとも一方の側部に設けられたマチと、を有し、
前記突出部の上端部を切り取ることにより喫食口部を形成することができるマチ付きシート状容器であって、
粘着剤を塗布した粘着面を備えると共に前記突出部を少なくとも２つ折りした状態で該突出部を覆うシール用シートを備え、
該シール用シートが前記少なくとも２つ折りした状態の突出部よりも大きく、且つ、前記シール用シートの粘着面には、少なくとも前記突出部の一部と接着するように粘着剤が塗布されていることを特徴とするマチ付きシート状容器を提供することにより達成される。
【００１７】
すなわち、第１、第２の観点による本発明によれば、喫食口部を形成する部分がシート状であり、且つ、この喫食口部の少なくともマチ側の内側シールラインが傾斜していることで、この喫食口部の出口通路部分が先細りの形状を有している。そして、この先細りの形状の出口通路部分に対して、喫食のために消費者が容器本体を片手で握る際にマチ側の内側シールラインの延長線に沿って前記容器本体を屈曲させるのを促すことができる。具体的には、第１の観点の発明のようにマチ側の内側シールラインの延長線に沿って容器本体を屈曲させる目印を付した場合にあっては、これを手がかりに消費者がマチ側の内側シールラインに沿って容器本体を屈曲させるように促すことができる。また、同様に、第２の観点の発明のようにマチ側の内側シールラインの延長線上の前記容器本体の下端縁に凹所を形成した場合にあっても、これを手がかりに消費者がマチ側の内側シールラインに沿って容器本体を屈曲させるように促すことができる。
【００１８】
これにより、容器本体は、喫食口部の出口通路部分から容器本体の下端に至る先細りの円筒状になり、消費者が内容物を押し出すために圧力を加えると喫食口部の断面が略円形に拡開すると共に、上記マチ側の内側シールラインに沿って容器本体を屈曲させることで、喫食口部の側部に位置するヒートシール部がその内側シールラインに沿って折れ曲がることになる。このことから、具材に液体成分が適度な粘度でまとわりついた又はペースト状の液体成分を含む内容物が喫食口部から出易くなるだけでなく、具材が喫食口部で目詰まりしないように喫食口部の幅寸法を拡大したとしても、この喫食口部が左右両側に位置するヒートシール部が喫食口部から左右両方に張り出した状態から内側に折れ曲がった状態になる。よって、幅広い喫食口部を設定したとしてもこれを口に含み易くなると共に口元に対して喫食口部が優しく当たることができる。
【００１９】
また、第３の観点の発明によれば、突出部を少なくとも２つ折りした状態でシール用シートによって封印されるため、喫食口部を構成する突出部に長さ寸法を与えて喫食口部を口の中に含み易くしたとしても、中身入りマチ付きシート状容器の高さ寸法の拡大を抑えることができる。
【発明を実施するための最良の形態】
【００２０】
以下に、添付の図面に基づいて本発明の好ましい実施例を説明する。図１〜図８は、本発明の第１実施例を示す。図１を参照して、第１実施例のマチ付きシート状容器１は、全体的にフレキシブルであり且つ片手で持つのに丁度良い大きさの本体２を有し、内容物を充填した後にレトルト処理される。本体２の大きさを例示すれば、高さ(H)が約１１cm、幅(W1)が約８cmである。本体２は、一方の側部にマチ３の幅(W2)は約４cmである。
【００２１】
すなわち、フレキシブルな容器本体２は、正面視したときに縦長の略矩形の形状を有し、この縦長の略矩形の外径輪郭を形成する２つの長辺（縦辺）のうち、一方の長辺にマチ３が設けられている。
【００２２】
このマチ付きシート状容器１は、既知のように、第１、第２の２枚のフレキシブルシート４、５と、１枚のマチ用シート６とからなり、マチ付きシート状容器１の外径輪郭の周縁部を全周に亘って連続してヒートシールすることにより形成されている。図中、ヒートシール部を参照符号ＨＳで示してある。
【００２３】
マチ付きシート状容器１は、また、本体２の上下の２つの短辺(横辺)のうち、上端の短辺に突出部７が形成されている。そして、この突出部７は、本体２の幅方向中央からオフセットした位置に設けられている。より具体的には、突出部７はマチ３から遠ざかる位置にオフセットされている。すなわち、マチ６とは対抗する長辺（マチ無し側縁部）に隣接して突出部７が形成されている。この突出部７は喫食口部を構成するものであり、このように一側に片寄せして突出部７を設けることで、マチ付きシート状容器１を片手で握って押し出しながらレトルト食品を喫食するが容易になる。なお、実施例の説明において、喫食口部を構成する突出部７が存在する部位を「上」と呼び、これに対抗する部位を「下」と呼ぶ。したがって、上述した「上端」という意味は、突出部７が存在する端と理解されたい。
【００２４】
第１実施例のマチ付きシート状容器１に関して、飲み口を構成する突出部７は正面視したときに略矩形であり、その両側にノッチ８が形成されている。後に説明するように、突出部７の上端部７ａを摘んでノッチ８を手がかりに突出部７から上端部７ａを切り離すことで、口の中に含むことのできる喫食口部を作ることができる。つまり、突出部７のノッチ８よりも上方領域である上端部７ａは、喫食口部を形成するときの「摘み」を構成する。したがって、この上端部７ａは、消費者が指で摘み易い任意の形状を採用することができる。
【００２５】
図１に示す参照符号１０はシール用シートを示す。このシール用シート１０は、その一方の面が粘着面とされ、ほぼ全面に、剥離させたときに糊残りしない粘着剤１１が塗布されており、折り線１２に従ってシール用シート１０を２つ折りすることにより突出部７の一方の面と他方の面を覆った状態で接着することでマチ付きシート状容器１の突出部７を外気から遮断し且つ封印することができる。つまり将来、長さ寸法を備え口の中に含むことのできる喫食口部となる突出部７を衛生的に保った状態で封印することができる。
【００２６】
以下に、図１〜図８を参照してマチ付きシート状容器１に内容物を充填する工程から消費者が内容物を食べる工程まで順を追って説明する。
【００２７】
図２は、包材メーカから食品メーカに納品されるマチ付きシート状容器素材２０を示す。包材メーカは、マチ３が設けられた長辺と対抗する長辺２１（マチ無し側縁部）に対してヒートシール加工を施さない状態の容器素材２０を作り、この容器素材２０が食品メーカに納品される。すなわち、容器素材２０は、長辺２１のほぼ全領域が開放されており、食品メーカでは、マチ無しの長辺２１の開口２２を通じて内容物の充填作業が行われる。具体的には、内容物を容器素材２０に充填する工程では、マチ３を下にして容器素材２０を起立させ、そしてマチ３を広げると共に、開口２２を広げて、この開口２２を通じて所定量の内容物が容器素材２０の中に充填される。したがって、充填工程では、縦長の容器素材２０を横倒しした状態で且つ広げたマチ３を座として起立した状態で行われる。なお、図２の矢印は内容物の充填を意味している。
【００２８】
片手で持てる程度の大きさのマチ付きシート状容器１に対して、その容器素材２０の長辺にマチ３を設けることで容器素材２０の容量を拡大すると共に、このマチ３とは対抗するマチ無し長辺２１を開放して、この長辺２１の開口２２を通じて内容物を充填するようにしたことから、この大きな開口２２によって内容物が粘性であろうと具材を含んでいたとしても、短時間で充填作業を終えることができる。したがって、従来のように、液体飲料、ゼリー状の飲み物、流動性を高めたヨーグルトなどに限定されず、種々様々な食品、例えば具材を含むカレーやシチューの流動性を損なわない程度にご飯粒を入れた食品であったとしても長辺２１の開口２２を通じて充填することで短時間に充填作業を終えることができる。
【００２９】
内容物の充填作業が完了したら、容器素材２０は、その長辺２１がヒートシールされ、これにより中身入りの容器１となり、その後レトルト殺菌処理される。このように食品メーカにおいて、内容物の充填工程の後に、開口２２を備えた長辺２１をヒートシールすることにより、マチ付きシート状容器素材２０は、その全周がシールされた食品入りマチ付きシート状容器１になる（図３）。ヒートシールされた部位を、図中、「ＨＳ」で示してある。勿論、食品メーカで行うヒートシール作業が、容器素材２０の一辺（長辺２１）を対象とするものあり、平面的な部位に対するヒートシール処理であることから、食品メーカで処理したヒートシールの不良を招く虞が小さい。
【００３０】
次に、図４に示すように、マチ付きシート状容器１のフレキシブルな突出部７が、典型的にはその高さ方向の途中で折り返されて２つ折りされる。勿論、突出部７を３つ折りにしてもよい。次いで、この２つ折りした突出部７を封印するシール用シート１０がマチ付きシート状容器１に接着される。このフレキシブルなシール用シート１０でシールする前に、突出部７を折り返すことから、長い喫食口部を作るために突出部７を高くしたとしてもシール用シート１０でシールした後の中身入りマチ付きシート状容器１の高さ寸法の拡大を抑えることができる。
【００３１】
図４の例では、２つ折りしたフレキシブルな突出部７の上端折り返し縁７ａに沿って、２つ折りしたシール用シート１０の折り線１２が略平行状態で位置するように、図４に矢印で示すように、３つ折りでもよいが典型的には２つ折りした突出部７の上方領域から２つ折りしたシール用シート１０が装着される。シール用シート１０は、薄く且つフレキシブルであれば、その素材は特に限定されず、任意の素材を採用することができる。したがって、プラスチックシートであってもよいが、この実施例では紙製である。
【００３２】
シール用シート１０をマチ付きシート状容器１に接着して突出部７をシール用シート１０で封印した状態を図５に示す。内容物（食品）を収容したマチ付きシート状容器１は外装箱無しに図５の状態で市場に流通する。図５から理解できるように、フレキシブルなシール用シート１０は可成りの大きさを有していることが分かるであろう。シール用シート１０の幅(W3)は、突出部７の幅(W4)よりも大きく、これにより突出部７の両側において、シール用シート１０の２つの折り返し片１０ａ、１０ｂ同士を互いに接着することができる。２つ折りしたシートの各片１０ａ、１０ｂの高さ(H2)は、容器本体２まで侵入することのできる寸法を有している。
【００３３】
このように、シール用シート１０を突出部７よりも十分に大きな寸法に設定することで、シール用シート１０の各折り返し片１０ａ、１０ｂの表面に商品名（ブランド）や図形、模様などの意匠を印刷して、外装箱無しにこれらを見栄え良く且つ大きく表示することができる。
【００３４】
食品入りマチ付きシート状容器１を入手した消費者は、図６から理解できるように、シール用シート１０を容器１から剥がし、そして、突出部７のノッチ８を手がかりに突出部７の上端部７ａを切り離すことで容器１を開封することができる。切り取った上端部７ａは、剥ぎ取ったシール用シート１０に接着し、そして、このシール用シート１０を容器本体２の任意の部分に接着させることができる（図７）。これにより、突出部７から切り取った上端部７ａや、剥ぎ取ったシール用シート１０を路上に捨てるなどの行為を抑制することができる。
【００３５】
突出部７の上端部７ａを一対のノッチ８つまり突出部７に形成されている切り込みを手がかりに切り取ることで、図７から理解できるように残存する突出部７によって容器本体２から上方に突出した喫食口部９を形成することができる。そして、片手で容器本体２を持ち、次いで、容器本体２から突出した喫食口部９を口の中に入れ、次いで、片手で容器本体２を握って押し出すことで、比較的大きな具材を相対的に沢山含み、そしてこの具材の回りに適度な粘性で液体成分がまとわりついた内容物又はペースト状の液体成分に沢山の比較的大きな具材を含む内容物を喫食口部９から口の中に流出させることができる。上端部７ａを切り取った後の突出部７（図７に図示の状態の喫食口）の左右の上端角隅部が口元に優しく当たるように、図７に図示の状態の突出部７（喫食口）の左右の上端角隅部が尖った状態とならないように、当該部分に関してノッチ８の形状において、角を落とした丸みを持った形状に設計するのが好ましい。
【００３６】
マチ３が容器本体２の側部に位置して縦方向に延びているため、容器本体２を片手で握るときにマチ３が邪魔することはない。換言すれば、マチ３が仮に容器本体２の下端部に位置していたときには、横方向に延びるマチ３を一緒に握ることになる。これに対して、横方向に延びるマチ３を備えている場合には、この横方向に延びるマチ３の存在つまりマチ３を含むヒートシール部ＨＳの存在によって容器本体２を握り難くなってしまうだけでなく、内容物が容器本体２の中に残留し易くなる。
【００３７】
マチ付きシート状容器１に収容されているレトルト食品を食べ終わったら、空の容器本体２を丸めたり折り畳んで小さくし、そして、この小さな形態をシール用シート１０を使って保持することができる。図８は、丸めた状態の空の容器本体２をシール用シート１０で結束した状態を示す。
【００３８】
如上のように突出部７に比べて相対的に可成りの大きさのシール用シート１０を用意することで、(1)その外表面を意匠や商標を見栄え良く且つ大きく表示する媒体として利用することができ、(2)突出部７から切り取った上端部７ａを容器本体２に付帯させる簡便な道具として利用することができ、(3)空になった容器本体２を丸めたり折り畳んで捨てるときに、例えば丸めて小さくした形態を保持する道具として利用することができる。
【００３９】
図９以降の図面は、種々の変形例を説明するための図である。
【００４０】
図９は、シール用シート１０の粘着面を説明するための図であると共に、粘着剤１１の塗布方法に関する一例を示す。この図９に図示の例では、シール用シート１０の一方の面に対する粘着剤１１の塗布領域が規定されていると共に、マチ付きシート状容器１の突出部７に関して、その上端部７ａの高さ寸法を拡大すると共に、左右一対のノッチ８又はそれよりも上の部分で折り返して突出部７の上端部７ａを折り返したときに、上端部７ａが容器本体２まで延びるように設定されている。これを前提としたときに、図９の例では、シール用シート１０は、マチ付きシート状容器１の第１フレキシブルシート４に接着する第１の折り返し片１０ａにはそのほぼ全面に粘着剤１１が塗布され、他方、第２フレキシブルシート５に接着する第２の折り返し片１０ｂに関しては、延長線で示す突出部７の部分が粘着剤１１を塗布しない非粘着領域ＡＲ１とされ、第２の折り返し片１０ｂの図面に向かって左右の領域及び下端部に対して粘着剤１１が塗布される。図９に図示のドットは粘着剤１１を表している。
【００４１】
このような構成を採用することにより、中身入りマチ付きシート状容器１からシール用シート１０を剥がし、そして、突出部７のノッチ８を手がかりに突出部７の拡大した上端部７ａを切り離すことで、喫食口部９の両面は、シール用シート１０の粘着剤１１が全く触れていない面になる。したがって、図９の例によれば、シール用シート１０の粘着剤１１に関して糊残りする粘着剤を利用することができる。勿論、非粘着領域ＡＲ１に関して、この非粘着領域ＡＲ１に、糊残りしない弱い粘着剤を塗布して弱粘着領域に設定してもよい。
【００４２】
図９の例の変形例として、図１０に示すように、シール用シート１０に関して、少なくとも第１、第２の折り返し片１０ａ、１０ｂのいずれか一方に、その両側縁に沿って延びる領域ＡＲ２、ＡＲ２に強く粘着する粘着剤を塗布するようにしてもよい。勿論、第１実施例で説明したシール用シート１０のように、糊残りしない粘着剤１１を第１、第２の折り返し片１０ａ、１０ｂの略全面に塗布した例に対しても、少なくとも第１、第２の折り返し片１０ａ、１０ｂのいずれか一方に、その両側縁に沿って延びる領域ＡＲ２、ＡＲ２に強く粘着する粘着剤を塗布するようにしてもよい。これによれば、シール用シート１０が不用意に剥離してしまう可能性を低減することができ、また、中身入りマチ付きシート状容器１からシール用シート１０を剥がすときにシール用シートの強粘着領域ＡＲ２の一部が裂けたり、マチ付きシート状容器１の本体２に粘着剤が付着した状態になる等によって、一度シール用シート１０を剥がした痕跡となる。したがって、シール用シート１０の不用意な剥離防止の他に、未開封保障として領域ＡＲ２、ＡＲ２の強粘着性の粘着剤を利用することができる。
【００４３】
少なくとも第１、第２の折り返し片１０ａ、１０ｂのいずれか一方に、その両側縁に沿って延びる領域ＡＲ２、ＡＲ２に強粘着性の糊残りする粘着剤を塗布する場合に、この強粘着性の粘着剤を、左右各領域ＡＲ２に連続的に塗布してもよいし、間隔を隔ててスポット的に塗布するようにしてもよい。スポット的に強粘着性粘着剤を領域ＡＲ２に塗布する場合には、その下に、他の領域に塗布する糊残りしない粘着剤１１を塗布するのが好ましい。つまり、シール用シート１０に第１層として糊残りしない粘着剤１１を塗布し、その上に、領域ＡＲ２に対して糊残りする強粘着性の粘着剤を塗布するようにしてもよい。
【００４４】
シール用シート１０に関して、図１１は更なる変形例を示すものであり、この図１１の例は、上述した領域ＡＲ２に強粘着性の粘着剤を塗布する例に対して特に効果的である。図１１を参照して、シール用シート１０はその両側縁部に沿ってミシン目のような弱化線１４が設けられている。このように弱化線１４を設けることにより、シール用シート１０を中身入りマチ付きシート状容器１から引き剥がすときに、シール用シート１０は弱化線１４で切断されて、シール用シート１０の両側部がマチ付きシート状容器１に残留することになり、これが一度シール用シート１０を剥がした痕跡となる。このころから、弱化線１４が切れているかそれともミシン目の状態であるかによって、シール用シート１０を剥がしたか否かを外見から知ることができる。勿論、第１実施例（図１など）で説明したようなシール用シート１０、つまり、ほぼ全面に糊残りしない粘着剤１１を塗布した例に対しても弱化線１４を設けてもよい。この場合には、粘着剤１１の粘着力よりも弱い力で弱化線１４が切れるように設計すればよい。
【００４５】
前述した図９を参照して、拡大した先端部７ａを突出部７から切り離すことにより形成した喫食口部９に関して、シール用シート１０の粘着剤１１が接触しない状態を形成する例を説明した。この図９の例の変形例を図１２〜図１５に示す。
【００４６】
図１２を参照して、突出部７はその基端部で折り返され、突出部７の先端部７ａは容器本体２に大きく侵入している。このように突出部７の基端部で折り返すことにより、マチ付きシート状容器１の高さは実質的に容器本体２の高さ寸法まで小さくすることができる。
【００４７】
図１３は、図１２に図示のシール用シート１０の展開図であり、このシール用シート１０の粘着面と当接する突出部７を延長線で図示してある。シール用シート１０には、粘着剤１１を塗布しない非粘着領域ＡＲ１が形成されており、図示の非粘着領域ＡＲ１以外の領域には、糊残りしない粘着剤１１が塗布されている。
【００４８】
非粘着領域ＡＲ１は、先端部７ａを除く突出部７の全体がシール用シート１０と当接する部位に設定されており、これにより、シール用シート１０を剥がし、そして先端部７ａをノッチ８を手がかりに取り除いて喫食口部９を形成したときに、この喫食口部９の両面が粘着剤１１と全く接触していない状態を作ることができる。
【００４９】
非粘着領域ＡＲ１とそれ以外の領域とに相対的に強弱の粘着剤を塗布するようにしてもよい。この場合には、非粘着領域ＡＲ１に糊残りしない弱粘着剤を塗布し、この弱粘着剤よりも粘着力の強い粘着剤を非粘着領域ＡＲ１以外の領域に塗布するようにしてもよい。
【００５０】
図１４は、図１３のシール用シート１０の変形例を示す。この図１４には、斜線で示す領域ＡＲ２に糊残りする粘着剤が塗布されている。図示の例では、第１の折り返し辺１０ａ及び第２の折り返し辺１０ｂの両方にスポット的に糊残り領域ＡＲ２が設けられている。これにより、マチ付きシート状容器１からシール用シート１０が不用意に剥離してしまうのを防止することができる。また、図１４に図示の領域ＡＲ３には、容器本体２に強く粘着してシール用シート１０が容易に剥離できない粘着剤が塗布されており、そして、領域ＡＲ３の回りにミシン目のような弱化線１４が形成されている。
【００５１】
この難剥離領域ＡＲ３は、最も典型的な例として、図１４の例ではシール用シート１０の上下の端縁に形成されており、シール用シート１０をマチ付きシート状容器１から引き剥がしたときに、弱化線１４が切れて容器１に残留する。したがって、弱化線１４が切れているか否かを目で確認することにより、マチ付きシート状容器１のシール用シート１０が一度引き剥がされたか否かを知ることができる。なお、図１４の例では、難剥離領域ＡＲ３がシール用シート１０の第２の折り返し片１０ｂの端縁部の中央部に設けられているが、この端縁部の右端部又は左端部に設けてもよく、また、第１の折り返し片１０ａの端縁に設けてもよい。
【００５２】
図１に戻って、第１実施例のマチ付きシート状容器１は、その四隅がラウンドしたコーナ部３１で構成されている。このように、マチ付きシート状容器１の四隅をラウンドしたコーナ部３１で構成することにより、消費者が角張った角で怪我をするのを防止することができる。
【００５３】
図１５は、マチ付きシート状容器１に関する変形例を説明する図である。この図１５から理解できるように、突出部７が設けられている上端縁は、ラウンドした波形輪郭３０を有している。このように、消費者が喫食するときに顔や口元に近づく容器本体２の上端縁を、ラウンドした波形輪郭３０とすることで、喫食に際して顔や口元に対する当たりを優しくすることができる。このラウンドした波形輪郭３０において、その波形形状を規定する外形縁部についてはヒートシールＨＳを行わないように設計するのがよい。換言すると、このラウンドした波形輪郭３０を完全にヒートシールすると、当該波形輪郭３０の部分の腰が強くなり、これによりユーザの口元に対する当たりがきつくなる可能性を含むが、波形輪郭３０の外形縁の部分をヒートシールしないで第１、第２の２枚のフレキシブルシート４、５の波形輪郭３０の外形縁部分を互いに接合しない状態に残しておくことで、当該外形縁部分の腰を弱くしておいて口元に対する当たりを優しくするのが好ましい。
【００５４】
図１６〜図２２は、図１及び図１５を参照して説明した縦長のマチ付きシート状容器素材２０に関する変形例を説明するための図である。図１６〜図２２に図示の容器素材２０の各変形例は、その一側つまり一方の長辺にマチ３を備えている点で共通しており、また、マチ３と対抗する長辺２１（マチ無し側縁）に開口２２を備えている点でも共通している。
【００５５】
以上のことを前提として、図１６に開示の例では、上端縁の幅方向中央に突出部７が配設されており、突出部７の両側の上端縁が波形輪郭３０で構成されている。図１７に開示の例では、突出部７がマチ３の側にオフセットされており、上端縁の残部は波形輪郭３０で構成されている。
【００５６】
図１８〜図２２に開示の例は、開口２２を備えた長辺２１をマチ３側が凸となるアーチ状に湾曲させた点で共通している。そして、図１８は、突出部７を長辺２１側にオフセットした例を示し、図１９は、突出部７を上端縁の幅方向中央に配設した例を示し、図２０は、突出部７をマチ３側にオフセットした例を示すものである。図２１は、上端縁を波形輪郭３０で構成した例を例示するものであり、この図２１の例では、突出部７が長辺２１側にオフセットされているが、これに限定されず、突出部７を上端縁の幅方向中央に配置した場合及び突出部７をマチ３側にオフセットした場合であっても、この突出部７を除く上端縁を波形輪郭３０で構成できることは言うまでもない。
【００５７】
図２２は、長辺２１だけでなく、マチ３側の長辺もアーチ状に湾曲させた例を示すものであり、図示の例では、突出部７がマチ３側とは反対側にオフセットして配置されているが、上端縁の中央に突出部７を設けてもよいし、突出部７をマチ３側にオフセットしてもよい。また、図２２の例のように、マチ３側の長辺及びこれに対抗する長辺２１を共にアーチ状に湾曲させた例においても、突出部７を除く上端縁が図示のように波形輪郭３０で構成されていてもよいし、図１８、図１９の例のように水平線で構成されていてもよい。
【００５８】
図２３〜図３４は、正面視したときに略正方形又は横長の形状の容器素材４０を例示するものであり、この容器素材４０にあっても、一側の辺にマチ３が設けられ、他側の辺（マチ無し側縁）に開口２２が設けられている点で、前述した第１実施例と共通している。また、図２３〜図３４に例示の容器素材４０にあっても、一方及び／又は両方の側辺をアーチ状に湾曲させてもよく（図２６〜図３４）、また、上端縁を波形輪郭３０で構成してもよい（図２３〜図２５、図２９〜図３４）。また、図２３〜図３４に例示の容器素材４０にあっても、突出部７を上端縁の中央に配設してもよいし（例えば図２４）、突出部７をマチ３側にオフセットしてもよいし（例えば図２５）、突出部７を開口２２側にオフセットしてもよい(図２３)。
【００５９】
図２３〜図３４に図示の略正方形又は横長の形状のマチ付きシート状容器素材４０にあっても、高さ寸法は図１及び図２で説明した高さ寸法Ｈ１と実質的に同じである。つまり、図２３などに示す容器素材４０は、図２や図１６などで説明した縦長の容器素材２０を幅方向に拡大した例であると理解されたい。したがって、このように横に拡大したマチ付きシート状容器素材４０を採用することにより、充填可能な内容物を増量できるだけでなく、一側の辺（マチ無し側縁）の略全長に亘って延びる開口２２を通じて内容物を充填できるため、横方向に拡大したマチ付きシート状容器素材４０においても内容物の充填を短時間に行うことができると共に、内容物が高粘性流体であろうと具材を含むのであろうとも何らの問題なく充填することができる。
【００６０】
図３５は、突出部７の配置に関する変形例を示すものであり、マチ３側とは側縁と上端縁とのコーナ部分に突出部７を配置すると共に突出部７が斜めに延びるように形成したマチ付きシート状容器素材４５を示す。なお、この図３５の例では、正面視したときに略正方形又は横長の形状の容器素材４５を図示してあるが、図１などで図示した縦長の形状であってもよい。また、図３５の例では突出部７を除く上端縁が波形輪郭３０で構成されているが、これに限定されず直線で構成してもよい。この傾斜した突出部７は、前述したように２つ折りした状態でシール用シート１０によってシールされる。
【００６１】
図３６は、上記図３５の容器素材４５の突出部７に関連した部位の変形例を示す。この図３６と図３５とを対比すると分かるように、図３６に図示の例では、突出部７の基端が容器素材４５の内部に若干食い込んだ形態に形作られている。
【００６２】
上述した図１〜図３６の容器素材２０、４０、４５は、マチ３と対抗する側辺に開口２２を設け、この開口２２を通じて内容物を充填する点で共通である。
【００６３】
図３７は、内容物の充填口を構成する開口２２を底辺に設けたマチ付きシート状の容器素材５０を示す。勿論、図２３などで説明した略正方形又は横長の容器素材４０に関しても、突出部７と対抗する底辺に開口２２を設けてもよいし、図３５などで説明した突出部７をマチ３と対抗する上角隅部から斜め外方に延出するように設けた容器素材４５に関しても、上縁と対抗する底辺に開口２２を設けてもよい。
【００６４】
図３８は、内容物の充填口を構成する開口２２を上端のほぼ全域に設けた容器素材５５を示す。勿論、図２３などで説明した略正方形又は横長の容器素材４０に関しても、その上端のほぼ全域に開口２２を設けてもよいし、図３５などで説明した突出部７をマチ３と対抗する上角隅部から斜め外方に延出するように設けた容器素材４５に関しても同様である。
【００６５】
図３９は、典型例として、図３５などで説明した突出部７をマチ３と対抗する上角隅部から斜め外方に延出するように設けた容器素材４５に関して、斜めに延びる突出部７を除く上端のほぼ全域に開口２２を設けたマチ付きシート状容器素材６０を示す。このような開口２２の配置は、例えば図２３、図２５に例示した突出部７をオフセットして配置した略正方形又は横長の容器素材４０の場合にも好適に適用することができる。
【００６６】
図４０〜図４４はノッチ８の具体的な形状に関する様々な例を示す。また、図４５は、ノッチ８に従って突出部７を切断するのを容易にするために上端部７ａを拡大して摘みを形成する例を示す。なお、図４５から最も良く理解できるように、側面視した左右のノッチ８の形状において、このノッチ８を使って突出部７の上端部７ａを切断した後の突出部７の左右の角隅部がラウンドした形状又は鈍角となる形状となるように、ノッチ８の側面視の形状を採用するのがよい。これにより、突出部７を通じて内容物を喫食するときに、突出部７の上端角隅部の口元に対する当たりが優しくなる。したがって、図４０〜図４４や図４６など他の図面では、作図上の関係で、ノッチ８の側面視した形状において、角部が尖った形状に描いてあるが、これは単に作図上の関係で尖った形状となっているのであって、実際には、ノッチ８の角部はラウンドしている又は鈍角の形状であると理解されたい。
【００６７】
図４６、図４７は、突出部７に関して、横方向に延びる突起６０を突出部７の上下方向に互いに離間して複数設けることで、突出部７の剛性を高める例を示すものである。図４６は斜視図であり、図４７は側面図である。
【００６８】
図１〜図４７は、突出部７にノッチ８を設け、このノッチ８を手がかりに突出部７の上端部７ａを切断して喫食口部９を形成する例を開示したが、その変形例を図４８、図４９に基づいて説明する。
【００６９】
図４８は、突出部７の上端のヒートシールＨＳを剥離させることで喫食口部９を形成する例を示す。この剥離作業を容易にするために、突出部７の上端に互いに対抗する一対の摘み６２，６２を用意し、この摘み６２、６２に対してはヒートシール処理を行わないのがよい。消費者は、左右の手の指で一対の摘み６２、６２を夫々把持して、突出部７の上端部のヒートシールを引き剥がす動作を行うことで喫食口部９を作ることができる。
【００７０】
図４９は、正面視矩形の突出部７の左右の互いに対抗して延びるヒートシールＨＳ（１）、（２）が突出部７の先端に向かうほど幅広に形成され、これにより喫食口部９の有効開口面積が、開口端に向かうに従って徐々に小さくなっている。図５０は、図４９の変形例であり、先端部７ａを除く突出部７の外形輪郭が突出部７の先端に向かって先細りの形状、つまり正面視したときに略台形の外形輪郭を有し、この略台形の外形輪郭の両側辺に位置する互いに対抗するヒートシールＨＳ（１）、（２）は略同一の幅で構成されている。
【００７１】
図４９、図５０の例示のように、喫食口部９の有効開口面積を、喫食口部９の開口端に向かうに従って徐々に小さくすることにより、内容物を円滑に通過させることができる。
【００７２】
図５１、図５２は、マチ付きシート状容器１のマチ３の両側縁部と、第１、第２のフレキシブルシート４、５との接着部つまり当該部位のヒートシールＨＳに関し、少なくとも下端部におけるヒートシールＨＳの幅が拡大され、当該部位のヒートシールＨＳの内周縁６４が容器内部に大きく入り込んだ湾曲形状に形成されている。これにより、マチ付きシート状容器１の内容物が、例えば、２ｃｍ程度の長さ寸法を有する柱状の具材にように噛んで食べる適度な大きさの具材を比較的多く含み、そして具材にドロドロしたペースト状の液体成分を含むレトルト食品や具材の回りに適度な粘性で液体成分がまとわりついた食品であるときに、マチ３が存在する側に位置している具材を、反対側の喫食口部９の側に寄せ易いという利点がある。なお、マチ３とは反対側の側縁から内容物を充填する適用例では、具材がマチ３側に偏在する傾向があることから、消費者にとって、マチ３側に偏在している具材を喫食口部９側に寄せ易くすることで、具材を含むペースト状の内容物が喫食し易くなる。
【００７３】
任意であるが、マチ３と第１、第２のフレキシブルシート４、５とのヒートシールＨＳのうち、上端部におけるヒートシールＨＳの幅を拡大して、当該部位のヒートシールＨＳの内周縁６６が容器内部に大きく入り込んだ湾曲形状に形成してもよい。これにより、マチ付きシート状容器１の内容物を押し出すときに、マチ３の上端部に残留する内容物の量を少なくすることができる。
【００７４】
なお、マチ３の一側縁と第１フレキシブルシート４とのヒートシールＨＳ及びマチ３の他側縁と第２のフレキシブルシート５とのヒートシールＨＳのうち、上端部と下端部をスポット的に接着してもよい。なお、この上端部及び下端部をスポット的に接着することに関し、参照符号６４、６６で示すようにヒートシールＨＳの内周縁を容器内部に大きく入り込んだ湾曲形状にする場合に限定されない。図５１に示す参照符号６８は接着ポイントを示している。
【００７５】
なお、図５１、図５２は、代表例として縦長のマチ付きシート状容器１を例示しているが、縦長の形状の容器に限定されないことは言うまでもない。
【００７６】
図５３は、シール用シート１０を使ったシールの方法に関し、シール用シート１０を突出部７の側方から挿入してもよいことを例示するものである。
【００７７】
上述した容器素材２０、４０、４５及びこれによって作られるマチ付きシート状容器に関し、大きな開口２２を通じて内容物を充填することができるため、充填する内容物に関して飲料、ゼリー状の飲料、果肉入りのヨーグルトなどに限定されず、飯粒及び具材の入ったカレー、リゾット、トウファ（豆腐花）、パスタのような主食、惣菜、デザートであって具材の回りに適度な粘性で液体成分がまとわりついた又はペースト状の液体に比較的多くの具材が混在した食品を短時間に充填することができる。勿論、例えば先ず固形成分である具材を充填し、次の工程で液体成分を充填するようにしてもよい。
【００７８】
したがって、マチ付きシート状容器素材２０、４０、４５はレトルト食品用の従来から知られている積層構造のシート材料から作られていてもよいし、充填後に加熱処理を必要としない食品を内容物とするのであれば、目的に適したシート（典型的にはラミネート材料からなるシート）を選択することもできる。
【００７９】
図５４〜図５９は他の実施例のマチ付きシート状容器７０、８０、９０を示す。これらのシート状容器７０、８０、９０の説明において上述した要素と同じ要素には同一の参照符号を付すことにより、その説明を適宜省略する。また、前述した実施例及びシール用シートに関する技術的事項は、これらのマチ付きシート状容器７０、８０、９０に適用可能な限り、これらマチ付きシート状容器７０、８０、９０に対しても適用されることは勿論である。
【００８０】
図５４〜図５９のマチ付きシート状容器７０、８０、９０は、内容物を喫食するために、前述したノッチ８を手がかりに突出部７の上端部７ａを切り離して喫食口部９を作り、そして、このマチ付きシート状容器７０を片手で握って内容物を押し出す際に、喫食口部９から左右に張り出しているヒートシール部がその内側シールラインに沿って折れ曲がって喫食口部９を形成している突出部７の幅寸法が縮小するのを促すと共に、喫食口部９の断面形状が略円形に拡開するのを促すための構造が採用されている。また、内容物を押し出す際に喫食口部９が拡開するのを促す構造が採用されている。
【００８１】
この点に関して、図５４、図５５のシート状容器７０を説明すると、図５４は、シート状容器７０の突出部７から上端部７ａを切り離した状態を示し、この上端部７ａを切り離すことにより突出部７は喫食口部９となる。図５５は、図５４のX５５−X５５線に沿った断面図であり、内容物を喫食するためにマチ付きシート状容器７０の本体２を片手で握って押し出す際の喫食口部９の形態を示してあり、喫食口部９が拡開すると共に、この喫食口部９の側部に位置しているヒートシール部ＨＳ（１）、（２）がその内側シールライン７２ａ、７２ｂで折れ曲がっている状態を示してある。
【００８２】
喫食時において、消費者が喫食口部９を含む前段階で図５５に図示の状態にさせた上で消費者が喫食口部９を口に含むことで口元に対して優しい当たりになる。消費者に対して、喫食の前段階で、図５５の状態を形成する操作を誘導する手段を次に説明する。
【００８３】
図５４は、喫食口部９の出口通路部分９ａを規定する左右のヒートシールＨＳ(1)、ＨＳ(2)の内側シールライン７２ａ、７２ｂのうち、マチ３側の内側シールライン７２ｂが傾斜し、マチ３とは反対側に位置する内側シールライン７２ａは鉛直線に沿って延びている例を示してあるが、このマチ３とは反対側に位置する内側シールライン７２ａも傾斜させて先細りの出口通路部分９ａを形成するようにしてもよい。
【００８４】
また、図５４のマチ付きシート状容器７０は、左右の内側シールライン７２の第１、第２の延長線７４、７６上に、消費者がこの延長線７４、７６に沿って容器本体２を屈曲するのを促す印やラインが印刷される。２本の延長線７４、７６に関連した印やラインなどの折り目ガイド手段を容器本体２に印刷するのが好ましいが、少なくともマチ３側の第２の延長線７６に関連した印やラインなどの折り目ガイド手段を容器本体２に印刷するのがよい。また、このマチ３側の第２の延長線７６に関しては、この第２の延長線７６がマチ３と干渉しないようにするのがよく、マチ３側の第２の内側シールライン７２ｂは、これを考慮した傾斜角度に設定される。なお、図示の例では、第２の延長線７６の下端がマチ３と略一致するように、マチ３側の内側シールライン７２ｂの傾斜角度が設定されている（図５４）。
【００８５】
消費者は、ノッチ８を手がかりに突出部７の上端部７ａを切り離す前後において、マチ３の部分を押して、マチ３の部分に位置している具材を上記延長線７４、７６の間に変位させる。次に、消費者は、マチ３側の第２の延長線７６に沿って容器本体２を屈曲させながら、好ましくは、これに加えてマチ３とは反対側の第１の延長線７４に沿って容器本体２を屈曲させながらマチ付きシート状容器７０を片手で握る。これにより、喫食口部９の両側に位置しているヒートシール部ＨＳ(１)、ＨＳ(２)は、図５５に示すように、内側シールライン７２ａ、７２ｂに沿って内側に折れ曲がる。喫食口部９を形成している突出部７の幅寸法が縮小する。このことにより、具材入りの内容物が円滑に喫食口部９から流出するように喫食口部９の出口通路部分９ａの幅寸法を大きく設定したとしても、その両側から側方に突出しているヒートシール部ＨＳ（１）、（２）が消費者の操作によって内側に折れ曲がることにより、口元に対する喫食口部９の当たりを柔らかくすることができる。
【００８６】
また、手のひらのシート状容器７０は、好ましくは、容器本体２を第１、第２の延長線７４、７６で折り曲げて本体２の底から喫食口部９の先端に至る先細りの筒状の形状にしたときには、これにより、また、消費者の手の中のシート状容器７０は喫食口部の出口通路部分９ａに向けて先細りの筒状の形状になるため、消費者がこれを握って内容物を押し出すのが容易となると共に、内容物を押し出す際に喫食口部９を大きく拡開させることができる。
【００８７】
図５６、図５７は、他の実施例のマチ付きシート状容器８０を示す。マチ付きシート状容器８０の側面図である図５７を参照して、食品メーカでは、マチ３とは反対側のマチ無し側縁から内容物を充填した後に、喫食口部９の出口通路部分９ａを規定する右のヒートシールＨＳ(1)の内側シールライン７２ａの延長線上（上述した第１の延長線７４上）にシールライン８４が形成されるようにヒートシールが行われる。
【００８８】
また、消費者に対して、喫食の前段階で、図５５の状態を形成する操作を誘導する手段として、出口通路部分９ａの左のヒートシールＨＳ(2)の内側シールライン７２ｂの第２の延長線７６とマチ付きシート状容器８０の下端ヒートシールＨＳ(3)とが交差する下端縁には、第２の延長線７６と交差する部位に凹所８６が形成され、また、好ましくは、下端ヒートシールＨＳ(3)の上縁には、第２の延長線７６に隣接し且つ上記シールライン８４側に第１凸部８８が形成されている。この第１凸部８８に代えて又は第１凸部８８と共に、喫食口部９の出口通路部分９ａにおける上流端、つまり、出口通路部分９ａの左側のヒートシールＨＳ(2)の内側シールライン７２ｂと第２の延長線７６とが合流する部分に、左側のヒートシールＨＳ(2)の下端において第２の延長線７６に隣接して第２凸部８９を形成してもよい。勿論、上記第２の凸部８９と凹部８６とを結ぶラインつまり第２延長線７６はマチ３と干渉しないように設定される。
【００８９】
図５６、図５７に例示のマチ付きシート状容器８０にあっては、マチ３側の第２延長線７６とマチ３との間に位置している具材を押し出して、第２延長線７６と、マチ３とは反対側のシールライン８４との間に位置させた後にシート状容器８０を握ると、上記凹所８６、第１凸部８８、第２凸部８９によって、シート状容器８０は第２延長線７６に沿って折れ曲がった筒状の形状となる。好ましくは、第２延長線７６に沿って折り曲げるように消費者に促す注意書きをシート状容器８０に印刷しておいてもよい。
【００９０】
図５８、図５９は、一枚のシートからマチ付きシート状容器９０を作った例を示す。この実施例のマチ付きシート状容器９０にあってノッチ８の喫食口部９の側の角隅部がラウンドした形状であり、これにより、突出部７の上端部７ａを切り離したときに、喫食口部９の角が丸まった形状となるのを約束することができる。
【００９１】
この実施例のマチ付きシート状容器９０にあっても突出部７が本体２のマチ３とは反対側の側部に片寄せして位置していることもあって、食品メーカでヒートシールするマチ３とは反対側のシールライン８４が本体２の外側縁と平行に設定されている。つまり、マチ３とは反対側のシールライン８４は、喫食口部９の出口通路部分９ａを規定するマチ３とは反対側の内側シールライン７２ａからオフセットしている。
【００９２】
この実施例のマチ付きシート状容器９０にあっても、消費者が、マチ３側に偏倚している具材を、マチ３とは反対側のシールライン８４側に寄せる前後にノッチ８を使って突出部７の上端部７ａを切り離すことにより喫食口部９を作り、そして、シート状容器９０が第２延長線７６に沿って折り曲げるようにして握ることで、具材入り内容物を喫食口部９から押し出す。その際、喫食口部９の少なくともマチ側のヒートシール部ＨＳ（２）は内側シールライン７２ｂに沿って折れ曲がり、喫食口部９の実質的な幅寸法が縮小すると共に口元に対する当たりが柔らかくなる。この状態を図５９に示し、消費者の口Ｍを仮想線で示してある。
【図面の簡単な説明】
【００９３】
【図１】第１実施例の縦長の正面視略矩形のマチ付きシート状容器及びシール用シートの斜視図である。
【図２】図１のマチ付きシート状容器に内容物を充填する前の容器素材の斜視図である。
【図３】図１に図示のマチ付きシート状マチ付きシート状容器の斜視図である。
【図４】容器の突出部を典型例として２つ折りにした後に、シール用シートで封印することを説明するための図である。
【図５】シール用シートで封印した容器の斜視図である。
【図６】シール用シートを剥がし、そして突出部の上端部を切断して喫食口部を形成することを説明するための図である。
【図７】喫食に際して突出部から切断した上端部をシール用シートに粘着させ、次いで、シール用シートを容器本体の任意の部分に粘着させた状態で喫食できることを説明するための図である。
【図８】空になった容器を丸め、そして、シール用シートで結束した状態を示す斜視図である。
【図９】喫食口部の両面を粘着剤に触れさせない状態でシール用シートを使って封印する一例を説明するための図である。
【図１０】シール用シートに強粘着剤を塗布する例を説明するための図である。
【図１１】シール用シートにミシン目を設ける例を説明するための図である。
【図１２】喫食口部の両面を粘着剤に触れさせない状態でシール用シートを使って封印する他の例を説明するための図である。
【図１３】図１２の例に使用されるシール用シートの粘着面を説明するための図である。
【図１４】シール用シートに強粘着領域とこれを囲むミシン目を設ける例を説明するための図である。
【図１５】容器の上端縁にラウンドした波形輪郭を形成する例を説明するための図である。
【図１６】容器の上端の幅方向中央に突出部を設け、その両側の上端縁にラウンドした波形輪郭を形成する例を説明するための図である。
【図１７】容器のマチ付き側縁に隣接して突出部を設け、突出部を除く上端縁にラウンドした波形輪郭を形成する例を説明するための図である。
【図１８】マチ付き側縁とは反対側の側縁をアーチ状の輪郭にした容器の正面図であり、アーチ状の側縁に隣接して突出部を設ける例を説明するための図である。
【図１９】図１８と同様にマチ付き側縁とは反対側の側縁をアーチ状の輪郭にしたシート状容器の正面図であり、上端縁の幅方向中央に突出部を設ける例を説明するための図である。
【図２０】マチ付き側縁とは反対側の側縁をアーチ状の輪郭にしたシート状容器の正面図であり、マチ付き側縁に隣接して突出部を設ける例を説明するための図である。
【図２１】マチ付き側縁とは反対側の側縁をアーチ状の輪郭にしたシート状容器の正面図であり、突出部を除く上端縁にラウンドした波形輪郭を形成する例を説明するための図である。
【図２２】正面視略矩形の両側縁をアーチ状の輪郭にしたマチ付きシート状容器の正面図である。
【図２３】正面視略正方形又は横長の矩形のシート状容器の正面図であり、突出部をマチ付き側縁とは反対側の側縁に隣接して配置した例を示す図である。
【図２４】図２３と同様に正面視略正方形又は横長の矩形のマチ付きシート状容器の正面図であり、突出部を幅方向中央に設けた例を示す図である。
【図２５】図２３と同様に正面視略正方形又は横長の矩形のシート状容器の正面図であり、突出部をマチ付き側縁に隣接して配置した例を示す図である。
【図２６】正面視略正方形又は横長の矩形のシート状容器の正面図であり、マチ付き側縁とは反対側の側縁をアーチ状の輪郭に形成し且つこのアーチ状の側縁に隣接して突出部を配置した例を示す図である。
【図２７】正面視略正方形又は横長の矩形のシート状容器の正面図であり、マチ付き側縁とは反対側の側縁をアーチ状の輪郭に形成し且つ幅方向中央に突出部を配置した例を示す図である。
【図２８】正面視略正方形又は横長の矩形のシート状容器の正面図であり、マチ付き側縁とは反対側の側縁をアーチ状の輪郭に形成し且つマチ付き側縁に隣接して突出部を配置した例を示す図である。
【図２９】図２６に図示の正面視略正方形又は横長の矩形のマチ付きシート状容器の突出部を除く上端縁にラウンドした波形輪郭を形成する例を説明するための図である。
【図３０】図２７に図示の正面視略正方形又は横長の矩形のマチ付きシート状容器の突出部を除く両側の上端縁にラウンドした波形輪郭を形成する例を説明するための図である。
【図３１】図２８に図示の正面視略正方形又は横長の矩形のマチ付きシート状容器の突出部を除く上端縁にラウンドした波形輪郭を形成する例を説明するための図である。
【図３２】正面視略正方形又は横長の矩形のマチ付きシート状容器の正面図であり、両側縁をアーチ状の輪郭に形成し且つマチ付きの一方の側縁とは反対側の側縁に隣接して突出部を配置した例を示す図である。
【図３３】正面視略正方形又は横長の矩形のマチ付きシート状容器の正面図であり、両側縁をアーチ状の輪郭に形成し且つ幅方向中央に突出部を配置した例を示す図である。
【図３４】正面視略正方形又は横長の矩形のマチ付きシート状容器の正面図であり、両側縁をアーチ状の輪郭に形成し且つマチ付きの一方の側縁に隣接して突出部を配置した例を示す図である。
【図３５】正面視略矩形のマチ付きシート状容器の上角隅部に斜めに突出する突出部を形成した例を説明するための図である。
【図３６】正面視略矩形のマチ付きシート状容器の上角隅部に斜めに突出する突出部を多少窪ませて配置した例を説明するための図である。
【図３７】縦長のマチ付きシート状容器の両側縁をアーチ状の輪郭にする例を説明するための図である。
【図３８】縦長のマチ付きシート状容器の両側縁をアーチ状の輪郭にすると共に、突出部を含む上端縁をヒートシールしていない容器素材を用意し、この上端開口を通じて内容物を充填することを説明するための図である。
【図３９】正面視略矩形のマチ付きシート状容器の上角隅部に斜めに突出する突出部を設けると共に、上端縁をヒートシールしていない容器素材を用意し、この上端開口を通じて内容物を充填することを説明するための図である。
【図４０】突出部に形成したノッチの一例を示す図である。
【図４１】突出部に形成したノッチの他の例（スリット）を示す図である。
【図４２】突出部に形成したノッチの別の例を示す図である。
【図４３】突出部に形成したノッチの更に別の例を示す図である。
【図４４】突出部に形成したノッチの更に他の例を示す図である。
【図４５】突出部に形成したノッチの上の領域つまり切り取り部分を拡大して、上端切り取り部を摘み易くすることを説明するための図である。
【図４６】突出部に凹凸を設け、突出部の剛性を高めることを説明するための図である。
【図４７】図４６の突出部の側面図である。
【図４８】突出部を前後に剥離させて喫食口部を形成する例を説明するための図である。
【図４９】喫食口部の有効開口面積を喫食口部の開口端に向かうに従って徐々に小さくする一例を示す図である。
【図５０】喫食口部の有効開口面積を喫食口部の開口端に向かうに従って徐々に小さくする他の例を示す図である。
【図５１】マチ付きシート状容器のマチと一方のフレキシブルシートとのヒートシールの下端部と、任意であるが上端部とを、ヒートシールの内側輪郭が容器内部に大きく入り込んだ湾曲形状にする例を説明するための図である。
【図５２】図５１のマチ付きシート状容器に内容物を入れる前の容器素材を示す図である。
【図５３】２つ折りしたシール用シートに対して２つ折りした突出部を横方向から挿入して封印する例を説明するための図である。
【図５４】マチ付きシート状容器から喫食するときに、喫食口の側部に位置しているヒートシール部が内側に曲がるのを促すための手段を含むマチ付きシート状容器の平面図である。
【図５５】喫食時の図５４のX５５−X５５線に沿った喫食口部の断面図である。
【図５６】マチ付きシート状容器から喫食するときに、喫食口の側部に位置しているヒートシール部が内側に曲がるのを促すための他の手段を含むマチ付きシート状容器の斜視図である。
【図５７】図５６のマチ付きシート状容器の正面図である。
【図５８】マチ付きシート状容器から喫食するときに、喫食口の側部に位置しているヒートシール部が内側に曲がるのを促すための手段を含む他の具体例のマチ付きシート状容器の正面図である。
【図５９】図５８のマチ付きシート状容器の喫食時における喫食口部の形態を説明するための図である。
【符号の説明】
【００９４】
１    マチ付きシート状容器
２    容器の本体
３    マチ
７    突出部
８    ノッチ
９    喫食口部
９ａ    喫食口部の出口通路部分
ＨＳ    ヒートシール部
１０    シール部用シート
１０ａ    第１の折り返し片
１０ｂ    第２の押し返し片
１１    粘着剤
１２    折り線
１４    弱化線
７２ａ    喫食口部の出口通路部分を規定する第１内側シールライン(マチとは反対側)
７２ｂ    喫食口部の出口通路部分を規定する第２内側シールライン(マチ側)
７４    第１内側シールラインの延長線上の第１延長線
７６    第２内側シールラインの延長線上の第２延長線
８６    凹部
８８    第１凸部
８９    第２凸部
【図１】
2009132451.tif 000003
【図２】
2009132451.tif 000004
【図３】
2009132451.tif 000005
【図４】
2009132451.tif 000006
【図５】
2009132451.tif 000007
【図６】
2009132451.tif 000008
【図７】
2009132451.tif 000009
【図８】
2009132451.tif 000010
【図９】
2009132451.tif 000011
【図１０】
2009132451.tif 000012
【図１１】
2009132451.tif 000013
【図１２】
2009132451.tif 000014
【図１３】
2009132451.tif 000015
【図１４】
2009132451.tif 000016
【図１５】
2009132451.tif 000017
【図１６】
2009132451.tif 000018
【図１７】
2009132451.tif 000019
【図１８】
2009132451.tif 000020
【図１９】
2009132451.tif 000021
【図２０】
2009132451.tif 000022
【図２１】
2009132451.tif 000023
【図２２】
2009132451.tif 000024
【図２３】
2009132451.tif 000025
【図２４】
2009132451.tif 000026
【図２５】
2009132451.tif 000027
【図２６】
2009132451.tif 000028
【図２７】
2009132451.tif 000029
【図２８】
2009132451.tif 000030
【図２９】
2009132451.tif 000031
【図３０】
2009132451.tif 000032
【図３１】
2009132451.tif 000033
【図３２】
2009132451.tif 000034
【図３３】
2009132451.tif 000035
【図３４】
2009132451.tif 000036
【図３５】
2009132451.tif 000037
【図３６】
2009132451.tif 000038
【図３７】
2009132451.tif 000039
【図３８】
2009132451.tif 000040
【図３９】
2009132451.tif 000041
【図４０】
2009132451.tif 000042
【図４１】
2009132451.tif 000043
【図４２】
2009132451.tif 000044
【図４３】
2009132451.tif 000045
【図４４】
2009132451.tif 000046
【図４５】
2009132451.tif 000047
【図４６】
2009132451.tif 000048
【図４７】
2009132451.tif 000049
【図４８】
2009132451.tif 000050
【図４９】
2009132451.tif 000051
【図５０】
2009132451.tif 000052
【図５１】
2009132451.tif 000053
【図５２】
2009132451.tif 000054
【図５３】
2009132451.tif 000055
【図５４】
2009132451.tif 000056
【図５５】
2009132451.tif 000057
【図５６】
2009132451.tif 000058
【図５７】
2009132451.tif 000059
【図５８】
2009132451.tif 000060
【図５９】
2009132451.tif 000061